(57)【要約】【課題】一の携帯電話機の通話相手となっている電話装置に対し、他の携帯電話機から容易に通話を行うことができる電話システムを提供する【解決手段】携帯電話機１ａは、携帯電話機１ｃと通話中に、非接触通信により携帯電話機１ｂから携帯電話機１ｂの電話番号を受信すると、この電話番号を通話中の携帯電話機１ｃに送信する。これにより、携帯電話機１ｃが受信した電話番号に発信すると、携帯電話機１ａと携帯電話機１ｂとの通話の通話相手を、携帯電話機１ａから携帯電話機１ｂに転送することができる。結果として、携帯電話機１ｂは、携帯電話機１ａと非接触通信を行うという簡単な動作のみで、携帯電話機１ａの通話相手となっている携帯電話機１ｃと容易に通話を行うことができる。【選択図】  図１
2010087841.tif 000002
【特許請求の範囲】
【請求項１】
非接触通信機能を有する第１，第２の携帯電話機を少なくとも含み、
前記第１の携帯電話機と、前記第２の携帯電話機とは、前記第１の携帯電話機が前記第２の携帯電話機以外の電話装置と通話中に非接触通信により少なくとも何れか一方の電話番号を他方に送信し、
非接触通信により前記電話番号を受信した前記第１の携帯電話機および前記第２の携帯電話機の少なくとも一方は、受信した前記電話番号を前記多の電話装置に送信する
ことを特徴とする電話システム。
【請求項２】
非接触通信により前記第２の携帯電話機の電話番号を受信した前記第１の携帯電話機は、当該第２の携帯電話機の電話番号を、通話中の他の電話装置にＳＭＳ通信により送信し、
前記他の電話装置は、ＳＭＳ通信により受信した前記電話番号に基づいて前記第２の携帯電話機に発信する
ことを特徴とする請求項１記載の電話システム。
【請求項３】
非接触通信により前記第１の携帯電話機から当該第１の携帯電話機の電話番号を受信した前記第２の携帯電話機は、前記第１の携帯電話機と通話中の前記多の電話装置の電話番号を受信し、この電話番号に基づくＳＭＳ通信により自身の電話番号を前記他の電話装置に送信した後、この他の電話装置に発信し、
前記他の電話装置は、前記第２の携帯電話機より受信した電話番号と着信とが一致すると、この着信に応答する
ことを特徴とする請求項１記載の電話システム。
【請求項４】
前記第１の携帯電話機と前記他の電話装置との間の呼制御を行う基地局をさらに備え、
非接触通信により前記第２の携帯電話機の電話番号を受信した前記第１の携帯電話機は、前記第２の携帯電話機から受信した当該第２の携帯電話機の電話番号転送要求とともに前記基地局に送信し、
前記基地局は、前記第２の携帯電話機の電話番号と前記転送要求とを受信すると、前記第１の携帯電話機と前記電話装置との間の通話を、前記第２の携帯電話機と前記電話装置との間の通話に切り替える
ことを特徴とする請求項１記載の電話システム。
【発明の詳細な説明】
【技術分野】
【０００１】
本発明は、電話システムに関し、特に非接触通信が可能な携帯電話機を含む電話システムに関するものである。
【背景技術】
【０００２】
通常、一の携帯電話機の通話相手と他の携帯電話機を用いて通話を行うには、他の携帯電話機のユーザは、一の携帯電話機のユーザからその通話相手の電話番号を口頭による教示や電子メールなどにより取得し、この取得した電話番号を他の携帯電話機からダイヤルして発信することにより行われている。このため、事前に電話番号を取得するのに手間がかかり、不便であった。
【０００３】
そこで、近年では、非接触通信機能を利用して、電話帳やメールなどの情報を携帯電話機間でやりとりすることがなされている（例えば、非特許文献１参照。）。この非接触通信機能を利用すれば、２つの携帯電話機本体を互いに近接させることにより、電話番号をやりとりできるので、他の携帯電話機は、容易に一の携帯電話機の通話相手の電話番号を取得することができる。
【０００４】
【非特許文献１】株式会社エヌ・ティ・ティ・ドコモ 、［online］、［平成２０年９月５日検索］、インターネット＜URL:http//www.nttdocomo.co.jp/service/func_tool/ic/about/index.html＞
【発明の開示】
【発明が解決しようとする課題】
【０００５】
しかしながら、非接触通信機能を利用して一の携帯電話機の通話相手の電話番号を取得した場合であっても、他の携帯電話機のユーザがその通話相手と通話するためには、取得した電話番号をダイヤルしなければならない。このため、もっと容易に一の携帯電話機の通話相手と通話を行うことができる電話システムが望まれていた。
【０００６】
そこで、本願発明は、一の携帯電話機の通話相手となっている電話装置に対し、他の携帯電話機から容易に通話を行うことができる電話システムを提供することを目的とする。
【課題を解決するための手段】
【０００７】
上述したような課題を解消するために、本発明に係る電話システムは、非接触通信機能を有する第１，第２の携帯電話機を少なくとも含み、第１の携帯電話機と、第２の携帯電話機とは、第１の携帯電話機が第２の携帯電話機以外の電話装置と通話中に非接触通信により少なくとも何れか一方の電話番号を他方に送信し、非接触通信により電話番号を受信した第１の携帯電話機および第２の携帯電話機の少なくとも一方は、受信した電話番号を多の電話装置に送信することを特徴とする。
【０００８】
上記電話システムにおいて、非接触通信により第２の携帯電話機の電話番号を受信した第１の携帯電話機は、当該第２の携帯電話機の電話番号を、通話中の他の電話装置にＳＭＳ通信により送信し、他の電話装置は、ＳＭＳ通信により受信した電話番号に基づいて第２の携帯電話機に発信するようにしてもよい。
【０００９】
また、上記電話システムにおいて、非接触通信により第１の携帯電話機から当該第１の携帯電話機の電話番号を受信した第２の携帯電話機は、第１の携帯電話機と通話中の多の電話装置の電話番号を受信し、この電話番号に基づくＳＭＳ通信により自身の電話番号を他の電話装置に送信した後、この他の電話装置に発信し、他の電話装置は、第２の携帯電話機より受信した電話番号と着信とが一致すると、この着信に応答するようにしてもよい。
【００１０】
また、上記電話システムにおいて、第１の携帯電話機と他の電話装置との間の呼制御を行う基地局をさらに備え、非接触通信により第２の携帯電話機の電話番号を受信した第１の携帯電話機は、第２の携帯電話機から受信した当該第２の携帯電話機の電話番号転送要求とともに基地局に送信し、基地局は、第２の携帯電話機の電話番号と転送要求とを受信すると、第１の携帯電話機と電話装置との間の通話を、第２の携帯電話機と電話装置との間の通話に切り替えるようにしてもよい。
【発明の効果】
【００１１】
本発明によれば、一の電話装置と通話中の第１の携帯電話機と、通話中ではない他の携帯電話機、すなわち第２の携帯電話機とは、非接触通信により電話番号のやりとりを行い、第１の携帯電話機または第２の携帯電話機は、受信した電話番号を他の装置に送信することにより、第２の携帯電話機、他の電話装置または他の装置は、他の電話装置または第２の携帯電話機の電話番号を受信することができるので、この受信した電話番号に対して発信することにより、他の電話装置と第２の携帯電話機とが通話することが可能となるので、結果として、他の携帯電話機の通話相手となっている電話装置と容易に通話を行うことができる。
【発明を実施するための最良の形態】
【００１２】
以下、図面を参照して、本発明の実施の形態について詳細に説明する。
【００１３】
［第１の実施の形態］
本発明の第１の実施の形態に係る電話システムは、図１に示すように、少なくとも３台の携帯電話機１ａ〜１ｃから構成されている。
【００１４】
＜携帯電話機の構成＞
携帯電話機１ａ〜１ｃは、それぞれ図２に示す携帯電話機１と同等の構成を有するので、図２に示す携帯電話機１の構成について説明し、携帯電話機１ａ〜１ｃそれぞれの構成は省略する。
【００１５】
携帯電話機１は、携帯電話網（図示せず）を終端制御する無線Ｉ／Ｆ部１１と、無線Ｉ／Ｆ部１１で受信された音声データを音声信号へ復号化してスピーカ（図示せず）へ出力し、マイク（図示せず）から入力された音声信号を音声データへ復号化して無線Ｉ／Ｆ部１１へ出力する音声処理部１２と、各種キー操作やフック状態を検出する操作入力部１３と、携帯電話機１の各種機能処理を行う制御部１４と、制御部１４での制御処理に必要な各種情報を記憶するメモリ１５と、公知の非接触ＩＣカード技術を用いて他の携帯電話機と電話番号等の情報をやりとりする非接触Ｉ／Ｆ部１６とを備えている。ここで、無線Ｉ／Ｆ部１１は、音声通信とともにＳＭＳ（Short Message Service）通信を行うことができる。
【００１６】
＜電話システムの動作の概要＞
次に、図１を参照して、本実施の形態に係る電話システムの動作の概要について説明する。
【００１７】
携帯電話機１ａと携帯電話機１ｃが通話中に（ステップＳ１０１）、この通話を携帯電話機１ａから携帯電話機１ｂに転送する場合、携帯電話機１ａと携帯電話機１ｂは、互いをかざして非接触通信を行う（ステップＳ１０２，Ｓ１０３）。この非接触通信により、携帯電話機１ｂは、自身の電話番号を携帯電話機１ａに送信する（ステップＳ１０２）。一方、携帯電話機１ａは、通話相手の携帯電話機１ｃの電話番号を携帯電話機１ｂに送信する（ステップＳ１０３）。
【００１８】
携帯電話機１ｂの電話番号を受信すると、携帯電話機１ａは、ＳＭＳ通信により、その携帯電話機１ｂの電話番号を携帯電話機１ｃに送信する（ステップＳ１０４）。
【００１９】
携帯電話機１ｂの電話番号を受信すると、携帯電話機１ｃは、携帯電話機１ａとの通話を切断し、携帯電話機１ｂに発信する（ステップＳ１０５）。携帯電話機１ｃからの着信に携帯電話機１ｂが応答することにより、携帯電話機１ａと携帯電話機１ｃとの通話が、携帯電話機１ａから携帯電話機１ｂに転送される。
【００２０】
＜電話システムの動作の詳細＞
次に、図３を参照して、本実施の形態に係る電話システムの動作の詳細について説明する。
【００２１】
携帯電話機１ａと携帯電話機１ｃが通話中（ステップＳ３０１）、この通話を携帯電話機１ａから携帯電話機１ｂに転送する場合、携帯電話機１ａと携帯電話機１ｂは、互いに非接触通信を行う（ステップＳ３０２，Ｓ３０３）。この非接触通信により、携帯電話機１ｂは、自身の電話番号を携帯電話機１ａに送信する（ステップＳ３０４）。一方、携帯電話機１ａは、通話相手の携帯電話機１ｃの電話番号を携帯電話機１ｂに送信する（ステップＳ３０５）。
【００２２】
携帯電話機１ｂの電話番号を受信すると、携帯電話機１ａは、ＳＭＳ通信により、その携帯電話機１ｂの電話番号を携帯電話機１ｃに送信する（ステップＳ３０６，Ｓ３０７）。
【００２３】
携帯電話機１ｂの電話番号を受信すると、携帯電話機１ｃは、通話していた携帯電話機１ａの電話番号をメモリ１５に保存するとともに、携帯電話機１ａとの通話を切断する（ステップＳ３０８，Ｓ３０９）。次いで、携帯電話機１ｃは、受信した携帯電話機１ｂの電話番号に基づいて、携帯電話機１ｂに発信する（ステップＳ３１０，Ｓ３１１）。
【００２４】
携帯電話機１ｃからの着信があると、携帯電話機１ｂは、その着信に自動応答する（ステップＳ３１２）。これにより、携帯電話機１ｂと携帯電話機１ｃとの通話が行われ（ステップＳ３１３）、携帯電話機１ａと携帯電話機１ｃとの通話が、携帯電話機１ａから携帯電話機１ｂに転送されることとなる。
【００２５】
このように、本実施の形態によれば、非接触通信を行うだけで、容易に携帯電話機１ａの通話相手となっている携帯電話機１ｃと通話を行うことができる。
【００２６】
なお、携帯電話機１ｃによる携帯電話機１ｂへの発信に（ステップＳ３１０，Ｓ３１１）、所定時間が経過しても携帯電話機１ｂが応答しない場合、携帯電話機１ｃは、その発信を停止する（ステップＳ３２１）。次いで、メモリ１５から保存しておいた携帯電話機１ａの電話番号を取り出し、携帯電話機１ａに発信する（ステップＳ３２２，Ｓ３２３）。この発信に対応する着信に携帯電話機１ａが応答すると（ステップＳ３２４）、携帯電話機１ａと携帯電話機１ｃとの通話が再度行われる（ステップＳ３２５）。これにより、携帯電話機１ｂが応答しない場合、携帯電話機１ｃのユーザは、携帯電話機１ａのユーザに携帯電話機１ｂの状態等を確認して転送が行われない理由を確認することができる。
【００２７】
＜各携帯電話機における動作＞
次に、図３を参照して説明した電話システムの動作における各携帯電話機の動作について、図４〜図６を参照して説明する。
【００２８】
≪携帯電話機１ａの動作≫  
図４に示すように、携帯電話機１ａのユーザは、通話中の携帯電話機１ｃとの通話を物理的に近くに存在する携帯電話機１ｂに転送させる場合、携帯電話機１ｂと非接触通信を行う（図３のステップＳ３０２に対応）。これにより、携帯電話機１ａの制御部１４は、携帯電話機１ｂから非接触Ｉ／Ｆ部１６を介して携帯電話機１ｂの電話番号を受信すると（ステップＳ４０１）、非接触Ｉ／Ｆ１６により通話中の携帯電話機１ｃの電話番号を携帯電話機１ｂに送信する（ステップＳ４０２）。続いて、制御部１４は、無線Ｉ／Ｆ部１１により、受信した携帯電話機１ｂの電話番号を、通話相手である携帯電話機１ｃにＳＭＳ通信により送信する（ステップＳ４０３）。
【００２９】
これにより、携帯電話機１ｃの電話番号が携帯電話機１ｂに、携帯電話機１ｂの電話番号が携帯電話機１ｃに送信されるので、携帯電話機１ｂと携帯電話機１ｃとが互いに通話することが可能となる。
【００３０】
≪携帯電話機１ｂの動作≫
図５に示すように、携帯電話機１ｂのユーザは、物理的に近い位置にある携帯電話機１ａと通話中の携帯電話機１ｃと通話を行いたい場合、携帯電話機１ａと非接触通信を行う（図３のステップＳ３０３に対応）。これにより、携帯電話機１ｂの制御部１４は、非接触Ｉ／Ｆ部１６により、携帯電話機１ｂの電話番号を携帯電話機１ａに送信し（ステップＳ５０１）、携帯電話機１ａから携帯電話機１ｃの電話番号を受信する（ステップＳ５０２）。
【００３１】
携帯電話機１ｃの電話番号の受信後、無線Ｉ／Ｆ部１１により着信が検出されると（ステップＳ５０３）、制御部１４は、その着信が携帯電話機１ｃからであるか否かを確認する（ステップＳ５０４）。この確認は、携帯電話機１ａから受信した携帯電話機１ｃの電話番号と、着信があった電話番号とを比較することにより行われる。
【００３２】
携帯電話機１ｃからの着信であった場合（ステップＳ５０４：ＹＥＳ）、制御部１４は、無線Ｉ／Ｆ部１１により、その着信に自動応答する（ステップＳ５０５）。一方、携帯電話機１ｃからの着信ではなかった場合（ステップＳ５０４：ＮＯ）、制御部１４は、その着信への応答を拒否する（ステップＳ５０６）。
【００３３】
このように、携帯電話機１ｂでは、携帯電話機１ａに自身の電話番号を送信するとともに、携帯電話機１ａから通話を行いたい携帯電話機１ｃの電話番号を取得するだけで、携帯電話機１ｃと通話を行うことができる。
【００３４】
≪携帯電話機１ｃの動作≫
図６に示すように、携帯電話機１ｃの制御部１４は、携帯電話機１ａの通話中に無線Ｉ／Ｆ部１１を介してＳＭＳ通信により携帯電話機１ａから携帯電話機１ｂの電話番号を受信すると（ステップＳ６０１、図３のステップＳ３０７に対応）、通話中の携帯電話機１ａの電話番号をメモリ１５に保存し、無線Ｉ／Ｆ部１１により携帯電話機１ａとの通話を切断する（ステップＳ６０２）。
【００３５】
携帯電話機１ａとの通話を切断すると、制御部１４は、無線Ｉ／Ｆ部１１により、携帯電話機１ｂに発信する（ステップＳ６０３）。この発信に対して、所定時間内に携帯電話機１ｂが応答すると（ステップＳ６０４：ＹＥＳ）、制御部１４は、無線Ｉ／Ｆ部１１を介して携帯電話機１ｂと通話開始する。
【００３６】
一方、所定時間内に携帯電話機１ｂが応答しない（ステップＳ６０４：ＮＯ）、制御部１４は、発信を停止し、携帯電話機１ａにコールバックする（ステップＳ６０６）。このコールバックは、メモリ１５に保存しておいた携帯電話機１ａの電話番号に発信することにより行われる。
【００３７】
コールバックに対して、所定時間内に携帯電話機１ａが応答すると（ステップＳ６０７：ＹＥＳ）、制御部１４は、無線Ｉ／Ｆ部１１により、携帯電話機１ａとの通話を再開する（ステップＳ６０８）。一方、コールバックに対して、所定の時間内に応答しないと（ステップＳ６０７：ＮＯ）、制御部１４は、携帯電話機１ａの呼出を停止する（ステップＳ６０９）。
【００３８】
このように、携帯電話機１ｃでは、通話相手の携帯電話機１ａからＳＭＳ通信により取得した電話番号に発信することにより、携帯電話機１ｂとの通話を他の携帯電話機に転送することが可能となる。
【００３９】
以上説明したように、本実施の形態によれば、携帯電話機１ａが、携帯電話機１ｃと通話中に、非接触通信により携帯電話機１ｂから携帯電話機１ｂの電話番号を受信し、この電話番号を通話中の携帯電話機１ｃに送信し、携帯電話機１ｃが受信した電話番号に発信することにより、携帯電話機１ａと携帯電話機１ｂとの通話の通話相手を、携帯電話機１ａから携帯電話機１ｂに転送することができるので、結果として、携帯電話機１ｂは、携帯電話機１ａと非接触通信を行うという簡単な動作のみで、携帯電話機１ａの通話相手となっている携帯電話機１ｃと容易に通話を行うことができる。
【００４０】
［第２の実施の形態］
次に、本発明に係る第２の実施の形態について説明する。なお、本実施の形態において、上述した第１の実施の形態と同等の構成要素については、同じ名称および符号を付し、適宜説明を省略する。
【００４１】
＜電話システムの動作の概要＞
図７を参照して、本実施の形態に係る電話システムの動作の概要について説明する。
【００４２】
携帯電話機１ａと携帯電話機１ｃが通話中に（ステップＳ７０１）、この通話を携帯電話機１ａから携帯電話機１ｂに転送する場合、携帯電話機１ａと携帯電話機１ｂは、非接触通信を行う（ステップＳ７０２）。この非接触通信により、携帯電話機１ａは、通話相手の携帯電話機１ｃの電話番号を携帯電話機１ｂに送信する。
【００４３】
携帯電話機１ｃの電話番号を受信すると、携帯電話機１ｂは、ＳＭＳ通信により、自身の電話番号を携帯電話機１ｃに送信し（ステップＳ７０３）、携帯電話機１ｃに発信する（ステップＳ７０４）。携帯電話機１ｂからの着信に携帯電話機１ｃが応答することにより、携帯電話機１ａと携帯電話機１ｃとの通話が、携帯電話機１ａから携帯電話機１ｂに転送されることとなる。
【００４４】
＜電話システムの動作の詳細＞
次に、図８を参照して、本実施の形態に係る電話システムの動作の詳細について説明する。
【００４５】
携帯電話機１ａと携帯電話機１ｃが通話中（ステップＳ８０１）、この通話を携帯電話機１ａから携帯電話機１ｂに転送する場合、携帯電話機１ａと携帯電話機１ｂは、非接触通信を行う（ステップＳ８０２，Ｓ８０３）。この非接触通信により、携帯電話機１ａは、通話相手の携帯電話機１ｃの電話番号を携帯電話機１ｂに送信する（ステップＳ８０４）。
【００４６】
携帯電話機１ｃの電話番号を受信すると、携帯電話機１ｂは、ＳＭＳ通信により、自身の電話番号を携帯電話機１ｃに送信する（ステップＳ８０５，Ｓ８０６）。
【００４７】
自身の電話番号を携帯電話機１ｃに送信すると、携帯電話機１ｂは、携帯電話機１ｃに発信する（ステップＳ８０７，Ｓ８０８）。
【００４８】
携帯電話機１ｂからの着信があると、携帯電話機１ｃは、通話中の携帯電話機１ａとの呼を網側で保留した上で（ステップＳ８０９）、その着信に自動応答する（ステップＳ８１０）。携帯電話機１ｂとの通話が確立すると（ステップＳ８１１）、携帯電話機１ｃは、保留にしていた携帯電話機１ａとの呼を切断する（ステップＳ８１２，Ｓ８１３）。
【００４９】
これにより、携帯電話機１ａと携帯電話機１ｃとの通話が、携帯電話機１ａから携帯電話機１ｂに転送されることとなる。
【００５０】
このように、本実施の形態によれば、非接触通信を行うだけで、容易に携帯電話機１ａの通話相手となっている携帯電話機１ｃと通話を行うことができる。
【００５１】
なお、携帯電話機１ｂによる携帯電話機１ｃへの発信に（ステップＳ８０７，Ｓ８０８）、所定時間が経過しても携帯電話機１ｃが応答しない場合、携帯電話機１ｂは、その発信を停止する（ステップＳ８２１）。これにより、携帯電話機１ｃが応答しない場合、携帯電話機１ａと携帯電話機１ｃとの通話が維持されるので、携帯電話機１ｃのユーザは、携帯電話機１ａのユーザに携帯電話機１ｂの状態等を確認して転送が行われない理由を確認することができる。
【００５２】
＜各携帯電話機における動作＞
次に、図８を参照して説明した電話システムの動作における各携帯電話機の動作について、図９〜図１１を参照して説明する。
【００５３】
≪携帯電話機１ａの動作≫  
図９に示すように、携帯電話機１ａのユーザは、通話中の携帯電話機１ｃとの通話を物理的に近くに存在する携帯電話機１ｂに転送させる場合、携帯電話機１ｂと非接触通信を行う（図８のステップＳ８０２に対応）。これにより、携帯電話機１ａの制御部１４は、非接触Ｉ／Ｆ１６により通話中の携帯電話機１ｃの電話番号を携帯電話機１ｂに送信する（ステップＳ９０１）。この後、携帯電話機１ｂと携帯電話機１ｃとの間で通話が確立すると、携帯電話機１ｃにより、この携帯電話機１ｃとの通話が切断される（ステップＳ９０２）。
【００５４】
これにより、携帯電話機１ｃの電話番号が携帯電話機１ｂに送信されるので、携帯電話機１ｂと携帯電話機１ｃとが互いに通話することが可能となる。
【００５５】
≪携帯電話機１ｂの動作≫
携帯電話機１ｂのユーザは、物理的に近い位置にある携帯電話機１ｂと通話中の携帯電話機１ｃと通話を行いたい場合、携帯電話機１ｂと非接触通信を行う（図８のステップＳ８０３に対応）。これにより、携帯電話機１ｂの制御部１４は、携帯電話機１ａから携帯電話機１ｃの電話番号を受信する（ステップＳ１００１）。
【００５６】
携帯電話機１ｃの電話番号を受信すると、携帯電話機１ｂの制御部１４は、無線Ｉ／Ｆ部１１により、ＳＭＳ通信で自身の電話番号を携帯電話機１ｃに送信し（ステップＳ１００２）、携帯電話機１ｃに発信する（ステップＳ１００３）。
この発信に対して所定時間内に応答があると（ステップＳ１００４：ＹＥＳ）、制御部１４は、無線Ｉ／Ｆ部１１を介して、携帯電話機１ｃとの通話を開始する（ステップＳ１００５）。一方、発信に対して所定時間内に応答がないと（ステップＳ１００４：ＮＯ）、制御部１４は、呼出を中断する（ステップＳ１００６）。
【００５７】
このように、携帯電話機１ｂでは、携帯電話機１ａから通話を行いたい携帯電話機１ｃの電話番号を取得するだけで、携帯電話機１ｃと通話を行うことができる。
【００５８】
≪携帯電話機１ｃの動作≫
携帯電話機１ｃの制御部１４は、携帯電話機１ａの通話中に無線Ｉ／Ｆ部１１を介してＳＭＳ通信により携帯電話機１ｂから携帯電話機１ｂの電話番号を受信した後（ステップＳ１１０１、図８のステップＳ８０６に対応）、着信を検出すると（ステップＳ１１０２）、この着信が携帯電話機１ｂからであるか否か確認する（ステップＳ１１０３）。この確認は、ＳＭＳ通信で受信した電話番号と、着信した際の発信者番号とを比較することにより行われる。
【００５９】
携帯電話機１ｂからの着信であった場合、制御部１４は、無線Ｉ／Ｆ部１１により、通話中の携帯電話機１ａとの呼を網側で保留した上で（ステップＳ１１０４）、その着信に自動応答した後（ステップＳ１１０５）、保留にした携帯電話機１ａとの呼を切断する（ステップ１１０６）。
【００６０】
携帯電話機１ｂからの着信ではなかった場合、制御部１４は、その着信に応答することを拒否する（ステップＳ１１０７）。
【００６１】
このように、携帯電話機１ｃでは、携帯電話機１ｂからＳＭＳ通信により電話番号を取得し、この電話番号からの着信を検出することにより、携帯電話機１ａとの通話が携帯電話機１ｂとの通話に転送されることとなる。
【００６２】
なお、本実施の形態において、携帯電話機１ｃは、携帯電話機１ａとの通話を一度保留にしてから、携帯電話機１ｂとの通話を行うようにしたが、保留しないようにしてもよい。例えば、図１２に示すように、上述したステップＳ８０１〜Ｓ８０６の処理を行った後、携帯電話機１ｃは、通話中の携帯電話機１ａの電話番号をメモリ１５に保存するとともに、携帯電話機１ａとの通話を切断する（ステップＳ１２０１，Ｓ１２０２）。
【００６３】
自身の電話番号を携帯電話機１ｃに送信すると、携帯電話機１ｂは、携帯電話機１ｃに発信する（ステップＳ１２０３，Ｓ１２０４）。
【００６４】
携帯電話機１ｂからの着信があると、携帯電話機１ｃは、その着信に自動応答する（ステップＳ１２０５）。これにより、携帯電話機１ｂと携帯電話機１ｃとの間の通話が実現する（ステップＳ１２０６）。
【００６５】
以上説明したように、本実施の形態によれば、携帯電話機１ａと携帯電話機１ｃとが通話中に、非接触通信により携帯電話機１ａから携帯電話機１ｂに携帯電話機１ｃの電話番号を送信し、この電話番号に基づいて携帯電話機１ｂが携帯電話機１ｃに発信することにより、携帯電話機１ｂと携帯電話機１ｃとの通話が可能となるので、結果として、他の携帯電話機の通話相手となっている電話装置と容易に通話を行うことができる。
【００６６】
［第３の実施の形態］
次に、本発明の第３の実施の形態について説明する。なお、本実施の形態において、上述した第１の実施の形態と同等の構成要素については、同じ名称および符号を付し、適宜説明を省略する。
【００６７】
本実施の形態に係る電話システムは、携帯電話機１ａ，１ｂと、基地局２と、外線３とを備えている。
【００６８】
基地局２は、公知の基地局から構成され、携帯電話機１ａ，１ｂおよび外線３の間の通話を制御する。
【００６９】
外線３は、基地局２を介して携帯電話機１ａ，１ｂと通話を行うことができる、固定電話装置、携帯電話装置、ＰＨＳ(Personal Hady-phone System)などの電話装置から構成される。
【００７０】
＜電話システムの動作の概要＞
次に、図１３を参照して、本実施の形態に係る電話システムの動作の概要について説明する。
【００７１】
携帯電話機１ａと外線３が通話中に（ステップＳ１３０１）、この通話を携帯電話機１ａから携帯電話機１ｂに転送する場合、携帯電話機１ａと携帯電話機１ｂは、非接触通信を行う（ステップＳ１３０２）。この非接触通信により、携帯電話機１ｂは、自身の電話番号を携帯電話機１ａに送信する。
【００７２】
携帯電話機１ｂの電話番号を受信すると、携帯電話機１ａは、基地局２に対して、外線３との通話を携帯電話機１ｂに切り替えるよう要求する（ステップＳ１３０３）。この要求を受信すると、外線３の通話相手を携帯電話機１ａから携帯電話機１ｂに切り替える（ステップＳ１３０４）。これにより、携帯電話機１ａと外線３との通話が、携帯電話機１ａから携帯電話機１ｂに転送される。
【００７３】
＜電話システムの動作の詳細＞
次に、図１４を参照して、本実施の形態に係る電話システムの動作の詳細について説明する。
【００７４】
携帯電話機１ａと外線３が通話中（ステップＳ１４０１）、この通話を携帯電話機１ａから携帯電話機１ｂに転送する場合、携帯電話機１ａと携帯電話機１ｂは、非接触通信を行う（ステップＳ１４０２，Ｓ１４０３）。この非接触通信により、携帯電話機１ｂは、自身の電話番号を携帯電話機１ａに送信する（ステップＳ１４０４）。
【００７５】
携帯電話機１ｂの電話番号を受信すると、携帯電話機１ａは、基地局２に対して、外線３の通話相手を携帯電話機１ａから携帯電話機１ｂに切り替えるよう要求する（以下、「切替要求」という）とともに、携帯電話機１ｂの電話番号を基地局２に送信する（ステップＳ１４０５，Ｓ１４０６）。
【００７６】
切替要求と携帯電話機１ｂの電話番号を受信すると、基地局２は、携帯電話機１ｂに対して、携帯電話機１ａと外線３の通話の通話相手を携帯電話機１ｂに切り替える旨を確認する（ステップＳ１４０７）。この確認を携帯電話機１ｂが了解すると（ステップＳ１４０８）、基地局２は、外線３との通話の通話相手を、携帯電話機１ａから携帯電話機１ｂに切り替える（ステップＳ１４０９）。これにより、携帯電話機１ｂと外線３との通話が行われ（ステップＳ１４１０）、携帯電話機１ａと外線３との通話が、携帯電話機１ａから携帯電話機１ｂに転送されることとなる。
【００７７】
＜各装置における動作＞
次に、図１４を参照して説明した電話システムの動作における各装置の動作について、図１５〜図１７を参照して説明する。
【００７８】
≪携帯電話機１ａの動作≫  
図１５に示すように、携帯電話機１ａのユーザは、通話中の外線３との通話を物理的に近くに存在する携帯電話機１ｂに転送させる場合、携帯電話機１ｂと非接触通信を行う（図１４のステップＳ１４０２に対応）。これにより、携帯電話機１ａの制御部１４は、携帯電話機１ｂから非接触Ｉ／Ｆ部１６を介して携帯電話機１ｂの電話番号を受信すると（ステップＳ１５０１）、無線Ｉ／Ｆ部１１により、受信した携帯電話機１ｂの電話番号と子の切替要求を基地局２に送信する（ステップＳ１５０２）。
【００７９】
これにより、携帯電話機１ｂの電話番号とこの切替要求が基地局２に送信され、外線３との通話の通話相手を携帯電話機１ａから携帯電話機１ｂに切り替えることが可能となる。
【００８０】
≪携帯電話機１ｂの動作≫
図１６に示すように、携帯電話機１ｂのユーザは、物理的に近い位置にある携帯電話機１ｂと通話中の外線３と通話を行いたい場合、携帯電話機１ｂと非接触通信を行う（図１４のステップＳ１４０３に対応）。これにより、携帯電話機１ｂの制御部１４は、非接触Ｉ／Ｆ部１６により、携帯電話機１ｂの電話番号を携帯電話機１ａに送信する（ステップＳ１６０１）。すると、基地局２により外線３との通話の通話相手が、携帯電話機１ａから携帯電話機１ｂに切り替わり、携帯電話機１ｂは、外線３と通話を開始する（ステップＳ１６０２）。
【００８１】
このように、携帯電話機１ｂでは、携帯電話機１ａに自身の電話番号を送信するだけで外線３との通話が可能となる。
【００８２】
≪基地局２の動作≫
図１７に示すように、基地局２は、携帯電話機１ａから、携帯電話機１ｂの電話番号と子の切替要求を受信すると（ステップＳ１７０１、図１４のステップＳ１４０６に対応）、携帯電話機１ａが通話中の外線３の通話相手を、携帯電話機１ａから携帯電話機１ｂに切り替える（ステップＳ１７０２）。これにより、携帯電話機１ａと外線３との通話が、携帯電話機１ａから携帯電話機１ｂに転送される。
【００８３】
以上説明したように、本実施の形態によれば、携帯電話機１ａと外線３とが通話中に、非接触通信により携帯電話機１ｂから携帯電話機１ａに携帯電話機１ｂの電話番号を送信し、この電話番号と転送要求を基地局２に送信し、基地局２が携帯電話機１ａと外線３との通話を、携帯電話機１ｂと外線３との通話に切り替えることにより、携帯電話機１ｂと外線３との通話が可能となるので、結果として、他の携帯電話機の通話相手となっている電話装置と容易に通話を行うことができる。
【産業上の利用可能性】
【００８４】
本発明は、非接触通信を行うことができる電話システムに適用することができる。
【図面の簡単な説明】
【００８５】
【図１】本発明の第１の実施の形態に係る電話システムの構成を模式的に示す図である。
【図２】携帯電話機の構成を示すブロック図である。
【図３】図１の電話システムの動作を示すタイミングチャートである。
【図４】図１における携帯電話機１ａの動作を示すフローチャートである。
【図５】図１における携帯電話機１ｂの動作を示すフローチャートである。
【図６】図１における携帯電話機１ｃの動作を示すフローチャートである。
【図７】本発明の第２の実施の形態に係る電話システムの構成を模式的に示す図である。
【図８】図７の電話システムの動作を示すタイミングチャートである。
【図９】図７における携帯電話機１ａの動作を示すフローチャートである。
【図１０】図７における携帯電話機１ｂの動作を示すフローチャートである。
【図１１】図７における携帯電話機１ｃの動作を示すフローチャートである。
【図１２】図７の電話システムの他の動作を示すタイミングチャートである。
【図１３】本発明の第３の実施の形態に係る電話システムの構成を模式的に示す図である。
【図１４】図１３の電話システムの動作を示すタイミングチャートである。
【図１５】図１３における携帯電話機１ａの動作を示すフローチャートである。
【図１６】図１３における携帯電話機１ｂの動作を示すフローチャートである。
【図１７】図１３における携帯電話機１ｃの動作を示すフローチャートである。
【符号の説明】
【００８６】
１，１ａ〜１ｃ…携帯電話機、２…基地局、３…外線、１１…無線Ｉ／Ｆ部、１２…音声処理部、１３…操作入力部、１４…制御部、１５…メモリ、１６…非接触Ｉ／Ｆ部。
【図１】
2010087841.tif 000003
【図２】
2010087841.tif 000004
【図３】
2010087841.tif 000005
【図４】
2010087841.tif 000006
【図５】
2010087841.tif 000007
【図６】
2010087841.tif 000008
【図７】
2010087841.tif 000009
【図８】
2010087841.tif 000010
【図９】
2010087841.tif 000011
【図１０】
2010087841.tif 000012
【図１１】
2010087841.tif 000013
【図１２】
2010087841.tif 000014
【図１３】
2010087841.tif 000015
【図１４】
2010087841.tif 000016
【図１５】
2010087841.tif 000017
【図１６】
2010087841.tif 000018
【図１７】
2010087841.tif 000019